(57)【要約】      （修正有）【課題】複数個の注出コックの操作における多様性等に貢献可能な液体注出装置を提供する。【解決手段】それぞれ間隙１３ａを隔てて並設方向に連設された複数個の橋梁片部を有し、各橋梁片部が少なくとも１個の注出コック１１に操作レバー８ｃを介して支持されている橋梁部１３と、隣接する一対の橋梁片部の外周側に嵌着し、連設方向に摺動自在な継手部１４と、を備える。継手部１４においては、隣接する一対の橋梁片部に跨って嵌着した跨嵌位置と、当該一対の橋梁片部間から偏倚して嵌着した偏倚位置と、の間を摺動できる構成とし、隣接する一対の橋梁片部が、跨嵌位置の継手部１４を介し連続している連続状態と、継手部１４が偏倚位置に嵌着し当該橋梁片部間の間隙１３ａを境界にして分断されている分断状態と、に切り替え可能な構成とする。【選択図】図２
2018118765.tif 000002
【特許請求の範囲】
【請求項１】
液体供給装置に並設され、それぞれ操作レバーを介して開閉操作される開閉弁を有した２個以上の注出コックと、
それぞれ間隙を隔てて並設方向に連設された複数個の橋梁片部を有し、各橋梁片部が少なくとも１個の注出コックに操作レバーを介して支持されている橋梁部と、
隣接する一対の橋梁片部の外周側に嵌着し、連設方向に摺動自在な継手部と、を備え、
継手部は、当該一対の橋梁片部に跨って嵌着した跨嵌位置と、当該一対の橋梁片部間から偏倚して嵌着した偏倚位置と、の間を摺動し、
隣接する一対の橋梁片部は、跨嵌位置の継手部を介し連続している連続状態と、継手部が偏倚位置に嵌着し当該橋梁片部間の間隙を境界にして分断されている分断状態と、に切り替わることを特徴とする液体注出装置。
【請求項２】
継手部は、径方向断面が環状であることを特徴とする請求項１記載の液体注出装置。
【請求項３】
各橋梁片部間の間隙は、操作レバーの開閉操作方向に対して傾斜して延在していることを特徴とする請求項１または２記載の液体注出装置。
【請求項４】
間隙は、階段状に傾斜して延在していることを特徴とする請求項３記載の液体注出装置。
【請求項５】
隣接する一対の橋梁片部の少なくとも何れか一方には、継手部の摺動範囲を規制する規制部が設けられていることを特徴とする請求項１〜４の何れかに記載の液体注出装置。
【請求項６】
規制部は、橋梁片部に対し出没自在に設けられていることを特徴とする請求項５記載の液体注出装置。
【請求項７】
液体供給装置は、各注出コックそれぞれの液体冷却回路を有し、
各液体冷却回路は、内部を通過した液体を冷却するための冷却管が内蔵された金属板状の各冷却プレートが、備えられていることを特徴とする請求項１〜６の何れかに記載の液体注出装置。
【請求項８】
液体供給装置は、各注出コックの注出方向側の位置で複数個の液体容器が並設方向に載置される載置台を備え、
載置台は、載置された状態の液体容器が立設姿勢となる位置と傾斜姿勢となる位置との間で回動自在に、支持されていることを特徴とする請求項１〜７の何れかに記載の液体注出装置。
【発明の詳細な説明】
【技術分野】
【０００１】
本発明は、例えば飲料等の液体を供給する装置に適用可能な液体注出装置に関するものである。
【背景技術】
【０００２】
例えば飲料用サーバ（ビールサーバ等）のように、貯蔵タンク等に貯蔵されている液体を供給する液体供給装置においては、当該装置に設けられた注出コック等からなる液体注出装置を操作して、液体を適宜注出できるようにした構成がある。
【０００３】
注出コックにおいては、当該注出コック内の液体流路を開閉する開閉弁や、当該開閉弁を開閉操作する操作レバー等を備えた構成が知られている（例えば特許文献１，２）。また、液体注出装置においては、複数個の注出コックが並設された構成であって、各注出コックから適宜注出できるようにした構成も知られている（例えば特許文献３）。
【先行技術文献】
【特許文献】
【０００４】
【特許文献１】特開２０１３−６７４３５号公報
【特許文献２】特開２００９−５８２１８号公報
【特許文献３】特開２０１４−１５６２５８号公報
【発明の概要】
【発明が解決しようとする課題】
【０００５】
液体注出装置において単に複数個の注出コックを備えた構成の場合、例えば作業者は、各注出コックのうち１個を選択して操作レバーを操作（例えば一方の片手で飲料容器を持ちながら、他方の片手で操作）することは容易であるものの、何れか２個以上の注出コックの操作レバーを同時に操作することは困難である。
【０００６】
本発明は、複数個の注出コックの操作における多様性等に貢献可能な液体注出装置を提供することにある。
【課題を解決するための手段】
【０００７】
この発明に係る液体注出装置は、かかる技術的課題に鑑みてなされたものであって、その一態様は、液体供給装置に並設され、それぞれ操作レバーを介して開閉操作される開閉弁を有した２個以上の注出コックと、それぞれ間隙を隔てて並設方向に連設された複数個の橋梁片部を有し、各橋梁片部が少なくとも１個の注出コックに操作レバーを介して支持されている橋梁部と、隣接する一対の橋梁片部の外周側に嵌着し、連設方向に摺動自在な継手部と、を備えたものである。
【０００８】
そして、継手部は、当該一対の橋梁片部に跨って嵌着した跨嵌位置と、当該一対の橋梁片部間から偏倚して嵌着した偏倚位置と、の間を摺動し、隣接する一対の橋梁片部は、跨嵌位置の継手部を介し連続している連続状態と、継手部が偏倚位置に嵌着し当該橋梁片部間の間隙を境界にして分断されている分断状態と、に切り替わることを特徴とする。
【発明の効果】
【０００９】
以上示したように本発明によれば、複数個の注出コックの操作における多様性等に貢献可能となる。
【図面の簡単な説明】
【００１０】
【図１】本実施形態による液体注出装置１の適用例を説明するための概略図。
【図２】本実施形態による液体注出装置１の概略構成図（筐体正面部３１側から臨んだ図）。
【図３】液体注出装置１の動作例を説明するための概略図。
【図４】液体注出装置１の動作例を説明するための概略図。
【図５】液体注出装置１の他例を説明するための概略図。
【発明を実施するための形態】
【００１１】
本発明の実施形態の液体注出装置は、液体供給装置に対し単に複数個の注出コックが並設される一般的な構成（例えば特許文献３）とは全く異なるものであり、それぞれ間隙を隔てて並設方向に連設された複数個の橋梁片部を有し、各橋梁片部が少なくとも１個の注出コックに操作レバーを介して支持されている橋梁部と、隣接する一対の橋梁片部の外周側に嵌着し、連設方向に摺動自在な継手部と、を備えた構成である。また、継手部においては、隣接する一対の橋梁片部に跨って嵌着した跨嵌位置と、当該一対の橋梁片部間から偏倚して嵌着した偏倚位置と、の間を摺動できる構成であり、隣接する一対の橋梁片部が、跨嵌位置の継手部を介し連続している連続状態（以下、単に連続状態と適宜称する）と、継手部が偏倚位置に嵌着し当該橋梁片部間の間隙を境界にして分断されている分断状態（以下、単に分断状態と適宜称する）と、に切り替え可能な構成である。
【００１２】
このような本実施形態の液体注出装置によれば、継手部を適宜摺動させることにより、橋梁部の隣接する橋梁片部間の状態を連続状態または分断状態に切り替えることができ、分離状態の橋梁片部毎に操作レバーを操作（複数の操作レバーによって支持している場合には当該複数の操作レバーを同時に操作）、または連続状態の各橋梁片部を支持している全ての操作レバーを同時に操作することが可能となる。
【００１３】
すなわち、複数個の注出コックの操作レバーを多様な方法（組み合わせ）で操作することが可能であり、例えば各注出コックのうち１個を選択して操作レバーを操作（例えば一方の片手で飲料容器を持ちながら、他方の片手で操作）したり、隣接する２個以上の注出コックの操作レバーを選択的かつ同時に操作することもでき、多様性のある液体注出装置であると言える。
【００１４】
例えば、一般的な液体注出装置が取り付けられた液体供給装置を設置する飲食店の場合、来店客から飲料の多杯同時注文があると、作業者は、注文に応じた個数の各液体容器に対し１個ずつ順番に液体を注出していくことが挙げられるが、全ての注出作業を終えるまでに時間がかかってしまう。このため、注出時の飲料状態（例えば発泡飲料の場合は液温，発泡等の状態）と、来店客へ提供した時の飲料状態と、の間に大きな差異が生じてしまう虞がある。
【００１５】
一方、本実施形態の液体注出装置の場合、前述のような多杯同時注文があっても、作業者は、当該注文に応じた個数で所望の注出コックの操作レバーを同時に操作できるように、継手部を適宜摺動させて橋梁部の各橋梁片部間を連続状態に切り替えておくことにより、当該注文に適宜対応することが可能である。すなわち、連続状態の橋梁片部を支持（操作レバーを介して支持）している各注出コックの注出方向側に各液体容器を位置させておいて、当該連続状態である各橋梁部を操作レバーの開閉操作方向に動作させることにより、各注出コックから、それぞれの飲料が各液体容器に対して同時に注出されることとなる。
【００１６】
したがって、本実施形態の液体注出装置によれば、一般的な液体注出装置の場合と比較すると、注出作業に係る時間を短縮したり、前述のような飲料状態の差異を抑制し易くなる。なお、例えば１杯の飲料の注文の場合には、何れか所望の注出コックの操作レバーのみを操作できるように、継手部を適宜摺動させて橋梁部の各橋梁片部間を分断状態に切り替えておけば良い。そして、当該所望の注出コックの注出方向側に液体容器を位置させた状態で、当該分断状態である橋梁部を操作レバーの開閉操作方向に動作させることにより、当該所望の注出コックからの飲料が液体容器に対して注出されることとなる。
【００１７】
本実施形態の液体注出装置は、前述のように隣接する一対の橋梁片部が継手部によって連続状態と分断状態とに切り替わる橋梁部を備え、各注出コックのうち何れか１個から液体を注出したり、隣接する２個以上の注出コックから選択的かつ同時に液体を注出できる構成であれば、種々の分野（例えば特許文献１〜３等に例示されている液体供給装置の分野）の技術常識を適宜適用して設計変形することが可能であり、その一例として以下に示すものが挙げられる。
【００１８】
≪本実施形態による液体注出装置の適用例≫
図１〜図４は、例えば飲食店に設置される穀物性発泡飲料（例えばビール及びビール系飲料等；以下、単に飲料と適宜称する）用のサーバ（液体供給装置）２に適用可能な、本実施形態の一例の液体注出装置１を説明するものである。図中のサーバ２は、例えば複数個のパネル状の隔壁によって囲繞された筐体３を有し、その筐体３内に導入された液体を冷媒等によって冷却できる冷却槽構造（冷媒等を収容した構造；図示省略）になっている。
【００１９】
サーバ２の筐体正面部３１の上方側には、当該筐体正面部３１に沿って水平方向に所定間隔（例えば後述の載置台７に液体容器７０を並べて載置する場合を想定した間隔）を隔てて並設された複数個の注出コック１１（図３では符号１１ａ〜１１ｄで示す４個；以下、それぞれを単に注出コック１１と適宜称する）と、それぞれ間隙１３ａを隔てて並設方向（注出コック１１が並設される方向）に連設された複数個の橋梁片部１２（図２〜図４では符号１２ａ，１２ｂｃ，１２ｄで示す３個；以下、それぞれを単に橋梁片部１２と適宜称する）を有する橋梁部１３と、隣接する一対の橋梁片部１２の外周側に嵌着した継手部１４と、を主として備えた液体注出装置１（詳細を後述する）が設けられている。
【００２０】
また、サーバ２（図１中では筐体背面部３２側）には、タンク４内に収容されている飲料を導入するために、ガスボンベ５，飲料導入回路６等が接続される。また、筐体正面部３１の下方側（注出コック１１の注出方向側）には、飲料を収容できる形状の複数個の液体容器（ジョッキ等）７０を並設方向に載置できる載置台７が設けられ、その載置台７に載置された液体容器７０に対して、注出コック１１からの液体を注出できるように構成されている。
【００２１】
タンク４には、種々の態様のものが適用可能であり、例えば、飲料を収容するための収容部４１と、ガスボンベ５から供給用ガス（炭酸ガス等）を収容部４１に送り込むと共に当該収容部４１の飲料を筐体３内（例えば後述する冷却プレート）側へ送り出すヘッド部４２と、を有したものが挙げられる。収容部４１は、例えば、金属製であり略円筒状の形状を有するいわゆるビール樽（業務用のビール樽等）が挙げられる。ヘッド部４２は、例えば収容部４１の上面に設けられた口金等を介して収容部４１に対して着脱自在に取り付けられる構成が挙げられる。
【００２２】
ガスボンベ５も、種々の態様のものが適用可能であり、例えば、高圧の炭酸ガス等の供給用ガスが液体状態で収容されているガス容器５１と、そのガス容器５１からの供給用ガスを所定の圧力に減圧する減圧弁５２と、その減圧された供給用ガスをタンク４内に導入するガス回路５３と、を有したものが挙げられる。このようなガスボンベ５により、供給用ガスをタンク４内へ導入して、タンク４内の飲料をサーバ２側へ供給することが可能となる。供給用ガスの圧力は、例えば飲料の液温等に基づいて調整される。
【００２３】
飲料導入回路６も、種々の態様のものが適用可能であり、例えば、複数個の流路管６１を分岐部（Ｙ型分岐管等）６２を介して枝状に連結された構成であって、タンク４内から供給される飲料を複数の流路に分岐してサーバ２に導入できる構成が挙げられる。図１中の飲料導入回路６の場合、注出コック１１の個数に合わせて分岐（４つに分岐）し、それぞれサーバ２内の飲料冷却回路（後述の注出コック１１毎の飲料冷却回路；図示省略）に接続して導通できる構成となっている。
【００２４】
載置台７も、種々の態様のものが適用可能であるが、例えば、筐体正面部３１に沿って水平方向に延在した底壁７１と、その底壁７１における並設方向側（図中ではサーバ２寄りの位置）から立設するように延出した形状の側壁７２ａ，７２ｂと、それら側壁７２ａ，７２ｂ間に架設された支持枠７３と、底壁７１におけるサーバ２の反対側に設けられたハンドル７４と、を有したものが挙げられる。
【００２５】
図中の載置台７の場合、底壁７１の上面側に、所望の液体容器７０の底面側が嵌合可能な形状の凹部７１ａが複数個、所定間隔（各注出コック１１に合わせた間隔）を隔てて並設方向に連なって形成されている。また、支持枠７３におけるハンドル７４側には、凹部７１ａに嵌合して載置された液体容器７０の側面側に係合できる形状の凹部７３ａが複数個、所定間隔（各注出コック１１に合わせた間隔）を隔てて並設方向に連なって形成されている。前述のような凹部７１ａ，７３ａによれば、例えば載置台７に載置された液体容器７０の揺動等を規制して転倒を抑制することが可能となる。
【００２６】
また、載置台７は、種々の構成によって支持することが可能であるが、例えば、当該載置台７に載置された状態の液体容器７０が立設姿勢（例えば飲み口７０ａが上方側に位置し水平方向に延在した姿勢）となる位置と、当該液体容器７０が傾斜姿勢（例えば飲み口７０ａが上方側に位置し傾斜方向に延在した姿勢）となる位置と、の間で回動自在に支持した構成が挙げられる。図中の載置台７の場合、サーバ２の筐体側面部３３ａ，３３ｂに支持された構成であって、側壁７２ａ，７２ｂをそれぞれ回動自在に支持する側壁支持体７５ａ，７５ｂと、一端側が底壁７１における並設方向側（図中ではハンドル７４寄りの位置）をそれぞれ回動自在に支持するスライダーリンク機構部７６ａ，７６ｂと、を備えた支持構成となっている。スライダーリンク機構部７６ａ，７６ｂは、一端が底壁７１における並設方向側（図中ではハンドル７４寄りの位置）を回動自在に支持する条状の駆動リンク部７７ａと、駆動リンク部７７ａの他端を水平方向に対して摺動自在に支持するスライドジョイント部７７ｂと、を備えた構成となっている。
【００２７】
前述のように載置台７を回動自在に支持することにより、例えば載置台７に複数個の液体容器７０を載置した状態で当該載置台７を回動させることができ、複数個の液体容器７０が立設姿勢または傾斜姿勢の状態で液体が注出されるように操作（例えば図４のように操作）することが可能となる。このように操作することにより、例えば注出コック１１から穀物性発泡飲料を注出する場合に所望の泡付け等が容易になる。
【００２８】
筐体３内の冷却槽構造も種々の態様を適用することが可能であり、その一例としては、コイル状の冷却管（例えば特許文献３の符号４６ａ）や金属板状の冷却プレート（例えば特許文献２の符号１，２）を有した飲料冷却回路を筐体３内に収容し、その飲料冷却回路を冷媒（例えば氷等の冷却体）によって冷却する構成が挙げられる。
【００２９】
液体注出装置１のように複数個の注出コック１１が備えられている場合には、当該注出コック１１毎の飲料冷却回路を備える等により、当該各飲料冷却回路間の熱干渉を抑制できるように構成することが好ましい。例えば、各飲料冷却回路に冷却プレートを適用した構成は、単なるコイル状の冷却管を適用した場合と比較して、当該各飲料冷却回路間の熱干渉を抑制し易い。冷却プレートの具体例としては、内部を通過した液体を冷却するための冷却管が内蔵され金属板状に成形された冷却プレートが挙げられる。
【００３０】
《液体注出装置１の一例》
液体注出装置１は、橋梁部１３における隣接する一対の橋梁片部１２が、継手部１４によって連続状態と分断状態とに切り替わり、各注出コック１１のうち何れか１個から飲料を注出したり、隣接する２個以上の注出コック１１から選択的かつ同時に飲料を注出できる構成であれば、種々の構成を適用することが可能である。
【００３１】
〈注出コック１１〉
注出コック１１は、種々の態様（例えば特許文献１では符号１、特許文献２では符号６、特許文献３では符号６１Ａ等）を適用することが可能である。図１〜図４では、内部の流路が開閉弁（図示省略）によって開閉される注出コック本体８ａと、注出コック本体８ａの下方側に設けられ開閉弁が開状態の場合に飲料が注出される注出ノズル８ｂと、注出コック本体８ａの上方側に設置され開閉弁を開閉操作する操作レバー８ｃと、を有した構成となっている。
【００３２】
注出コック１１の開閉弁は、例えば付勢手段（図示省略）によって閉状態を維持するように付勢され、当該付勢手段の付勢力に抗して開状態となる構成が挙げられる。また、開閉弁による構成は、単に一つの流路を開閉する構成（二方弁等）に限られるものではない。例えば、注出コック本体８ａ内に複数の流路（例えば、飲料注出用流路と泡付け用流路）が形成されている場合には、流路毎に開閉弁を設けた構成や、注出コック本体８ａ内の複数の流路（例えば、飲料注出用流路と泡付け用流路）を切り替え自在に開閉する構成（三方弁等；以下、それぞれを単に複数流路開閉構成と適宜称する）を適用することが挙げられる。このような複数流路構成においても、操作レバー８ｃによって適宜開閉操作（例えば後述のようにサーバ２に対して接離する方向に開閉操作）できるように構成することが可能である。
【００３３】
注出ノズル８ｂは、例えば当該注出ノズル８ｂの先端側の注出口８ｂａが、載置台７に載置された液体容器７０の飲み口７０ａに対向して近接（または液体容器７０内に位置）するように、注出コック本体８ａの下方側から延出（例えば下り傾斜方向（サーバ２から離反する方向に延出）した構成が挙げられる。また、開閉弁が複数流路開閉構成の場合には、注出ノズル８ｂに各流路用の注出口８ｂａを備えたり、注出コック本体８ａに複数の注出ノズル８ｂを備えた構成とすることも挙げられる。
【００３４】
操作レバー８ｃは、開閉弁の付勢手段の付勢力によって立設姿勢（例えば注出コック本体８ａから任意方向（上方側等）に延出した姿勢）が保持された場合に当該開閉弁が閉状態となり、当該付勢力に抗して立設姿勢が変更（例えば傾倒する方向に作用させ、傾斜姿勢に変更）された場合に開閉弁が開状態となるように、注出コック本体８ａの上方側に設置（開閉操作自在に設置）された構成が挙げられる。また、開閉弁が複数流路開閉構成の場合には、操作レバー８ｃの立設姿勢から変更された任意姿勢の方向によって、各流路が適宜開状態（例えば何れかが開状態）となるように構成することも可能である。
【００３５】
例えば、注出コック１１が複数流路開閉構成であって、注出コック本体８ａ内に飲料注出用流路と泡付け用流路が形成されている場合、図中に示すような操作レバー８ｃにおいては、サーバ２から離反する方向に傾倒した傾斜姿勢の場合に飲料注出用流路を開状態にし、サーバ２へ近接する方向に傾倒した傾斜姿勢の場合に泡付け用流路を開状態にできるように構成することが挙げられる。
【００３６】
〈橋梁部１３〉
橋梁部１３は、複数個（図１〜図４では３個）の条状の橋梁片部１２が間隙１３ａを介して連設され、各操作レバー８ｃに対し並設方向（すなわち各注出コック１１の並設方向）に延在および支持された構成となっている。図１〜図４では、橋梁片部１２ａ，１２ｄが１個の操作レバー８ｃの先端側に支持（例えばボルト等により締結して支持）され、橋梁片部１２ｂｃが２個の操作レバー８ｃの各先端側に支持された構成となっている。また、橋梁部１３（図１〜図４中では橋梁片部１２ｂｃ）の上方側には、作業者が当該橋梁部１３を把持して動作（操作レバー８ｃを開閉操作するように動作）させ易くするための操作ハンドル８ｄが取り付けられている。
【００３７】
隣接する一対の橋梁片部１２間（例えば橋梁片部１２ａ，１２ｂｃの間や、橋梁片部１２ｂｃ，１２ｄの間）の間隙１３ａは、当該隣接する一対の橋梁片部１２が継手部１４の位置（跨嵌位置と偏倚位置）によって連続状態と分断状態とに切り替わり、分離状態の橋梁片部１２毎に操作レバー８ｃを操作（橋梁片部１２ｂｃにおいては２個の操作レバー８ｃを同時に操作）、または連続状態の各橋梁片部１２を支持している全ての操作レバー８ｃを同時に操作することが可能な構成であれば良い。
【００３８】
図３，図４中の間隙１３ａの場合、操作レバー８ｃの開閉操作方向に対して階段状に傾斜した形状となっているが、単に当該開閉操作方向に対して傾斜した形状や、例えば図５に示すように当該開閉操作方向に沿った形状の間隙１３ａであっても、前述のように隣接する一対の橋梁片部１２が分断状態と連続状態とに切り替わる構成であれば良い。
【００３９】
間隙１３ａが開閉操作方向に対して傾斜（または階段状に傾斜）した形状の場合、連続状態である隣接する一対の橋梁片部１２同士が間隙１３ａ箇所において接触（開閉操作方向に交差するように接触）した状態で操作レバー８ｃを開閉操作することができ、当該開閉操作時の機械的強度が得られ易くなる。このような傾向は、間隙１３ａを単に傾斜させた形状とするよりも、階段状に傾斜した形状とした場合のほうが顕著となる。
【００４０】
また、分断状態である隣接する一対の橋梁片部１２の何れか一方のみを動作させた場合に、他方が連動（以下、単に連動現象と適宜称する）しないように構成することが望ましい。例えば、前述のように間隙１３ａが傾斜した形状で連動現象が起こり得る場合には、隣接する一対の橋梁片部１２の何れか一方を、操作レバー８ｃを軸にして回動自在に支持（図３（ｃ）のように回動できるように支持）し、連動現象を抑制できるように構成することが挙げられる。
【００４１】
〈継手部１４〉
継手部１４は、隣接する一対の橋梁片部１２（例えば橋梁片部１２ａ，１２ｂｃの一対や、橋梁片部１２ｂｃ，１２ｄの一対）の外周側に嵌着できる形状であって、その嵌着した状態で当該外周側面に沿った方向（すなわち各橋梁片部１２の連設方向）に摺動自在な構成となっている。また、継手部１４が摺動する範囲は、隣接する一対の橋梁片部に跨って嵌着し間隙１３ａの外周側に位置する跨嵌位置と、当該間隙１３ａ（一対の橋梁片部間）から偏倚して嵌着し間隙１３ａの外周側が露出した偏倚位置と、の範囲であれば良い。
【００４２】
図中の継手部１４は、径方向断面が矩形状で橋梁片部１２が貫通（例えば一端側が貫通）した構成となっているが、これに限定されるものではなく、例えば当該径方向断面が円弧状や半環状のものであっても、橋梁片部１２からの脱落等を抑制できる構成であれば良い。すなわち、前述のように脱落等が抑制されながら跨嵌位置と偏倚位置との間を摺動し、隣接する一対の橋梁片部１２が、跨嵌位置の継手部１４を介し連続している連続状態と、継手部１４が偏倚位置に嵌着し当該橋梁片部１２間の間隙１３ａを境界にして分断されている分断状態と、に切り替わる構成であれば、種々の態様の継手部１４を適用することが可能である。
【００４３】
継手部１４の摺動範囲を規制するために、隣接する一対の橋梁片部１２の少なくとも何れか一方の所定位置に規制部１４ａを設けても良い。例えば規制部１４ａを、跨嵌位置の継手部１４と当接（図中では継手部１４の一端側が当接）する位置に設けておくことにより、当該継手部１４を摺動させる場合に、跨嵌位置に位置決めすることが容易となる。図中では、隣接する一対の橋梁片部１２の一方のみに、当該一方の外周側から突出した形状の規制部１４ａが設けられ、他方においては操作レバー８ｃによって継手部１４の摺動範囲が規制された構成となっている。
【００４４】
また、規制部１４ａにおいては、前述のように継手部１４の摺動範囲を適宜規制したり位置決めできる構成であれば、種々の態様を適用することができる。例えば、規制部１４ａを、橋梁片部１２に適宜没入（内蔵）または当該橋梁片部１２の外周側から適宜突出できるように、当該橋梁片部１２に対して出没自在に設けたり、当該出没自在な規制部１４ａを突出方向に付勢させる構成とする等により、継手部１４の摺動範囲を選択的に規制できるように構成しても良い。
【００４５】
前述のような出没自在な規制部１４ａによれば、継手部１４における跨嵌位置と偏倚位置との間（例えば図３（ｂ），（ｃ）中の符号１４ｂで示す位置）に設けた場合であっても、当該規制部１４ａを適宜出没させることにより、継手部１４の摺動範囲を選択的に規制することが可能である。また、継手部１４が偏倚位置の状態において、例えば図３（ｂ），（ｃ）の符号１４ｂに示すような位置で規制部１４ａを突出させた場合、当該継手部１４が橋梁片部１２の間隙１３ａ側から脱落しないように抑制できる。
【００４６】
《液体注出装置１の動作例》
液体注出装置１においては、継手部１４を適宜摺動させて、橋梁部１３における隣接する一対の橋梁片部１２を連続状態または分断状態に切り替えることにより、載置台７に載置された１個または複数個の液体容器７０に対し、所望の注出コック１１から液体を適宜注出することができる。
【００４７】
図３，図４は、橋梁片部１２ｂｃを支持している注出コック１１から、載置台７の中央側２箇所の凹部７１ａに載置されている液体容器７０に対して液体を注出する場合を示すものである。まず、橋梁片部１２ａ，１２ｂｃの一対と、橋梁片部１２ｂｃ，１２ｄの一対と、に嵌着している継手部１４を適宜摺動して、図３（ｃ），図４に示すように偏倚位置に移動させておく。また、必要に応じて、図４に示すようにハンドル７４を介して載置台７を適宜回動し、各液体容器７０を傾斜姿勢の状態にする。
【００４８】
そして、図４に示すように、橋梁片部１２ｂｃに支持されている操作ハンドル８ｄを、操作レバー８ｃの開閉操作方向に傾倒するように動作させることにより、当該橋梁片部１２ｂｃを支持している各注出コック１１の操作レバー８ｃが連動して傾倒し、各注出コック１１の開閉弁が開状態となって各液体容器７０に液体が注出されることとなる。この際、橋梁片部１２ａ，１２ｄを支持している注出コック１１においては、前述のように橋梁片部１２ａ，１２ｂｃの一対と、橋梁片部１２ｂｃ，１２ｄの一対と、がそれぞれ分断状態で連動現象が抑制されているため、当該注出コック１１の開閉弁は閉状態のままとなる。
【００４９】
以上、本発明において、記載された具体例に対してのみ詳細に説明したが、本発明の技術思想の範囲で多彩な変更等が可能であることは、当業者にとって明白なことであり、このような変更等が特許請求の範囲に属することは当然のことである。
【００５０】
例えば、液体注出装置１においては、図１〜図４に示すような構成に限定されるものではなく、注出コック１１の個数等に応じて、橋梁片部１２，間隙１３ａ，継手部１４それぞれの個数や形状等を適宜設定することが可能であり、その一例として図５に示すような構成が挙げられる。このような構成においても、図１〜図４と同様に、橋梁部１３における隣接する一対の橋梁片部１２が、継手部１４によって連続状態と分断状態とに切り替わり、各注出コック１１のうち何れか１個から液体を注出したり、隣接する２個以上の注出コック１１から選択的かつ同時に液体を注出することができる。
【符号の説明】
【００５１】
１…液体注出装置
１１…注出コック
１２…橋梁片部
１３…橋梁部
１３ａ…間隙
１４…継手部
１４ａ…規制部
２…サーバ（液体供給装置）
７…載置台
８ｃ…操作レバー
【図１】
2018118765.tif 000003
【図２】
2018118765.tif 000004
【図３】
2018118765.tif 000005
【図４】
2018118765.tif 000006
【図５】
2018118765.tif 000007